(57)【要約】【課題】ゴルフのパッテイング練習でパッテイング練習具を使用した時、ホールとアドレス位置の中間くらいまでゴルフボールが返ってくるものはあるが、アドレス位置まで完全に返ってくるものがないため、練習を中断しゴルフボールを取りに行かなければならない。このようなことがないようアドレス時の位置まで確実に返ってくるようにし、練習に集中できるようにするものである。【解決手段】本発明のパッテイング練習具の補助具溝型レール１、３にたわみ調整板２、４を取り付け、ゴルフボール１１が通過するときゴルフボールの自重で補助具１、３が床面につくたわみ量を調整し、パッテイング練習具のゴルフボール１１が返る勾配のついた通路の中間からアドレス時のボールの設置場所までたわみ調整板を付けた溝型レール１、３を設置することを特徴とする。【選択図】図１
2020058530.tif 000002
【特許請求の範囲】
【請求項１】
たわみ調整板を取り付け、たわみ調整が出来ることを特徴とするパッテイング練習具の補助具の溝型レール。
【発明の詳細な説明】
【技術分野】
【０００１】
本考案は、ゴルフのパッテイング練習具を使って練習する時、ゴルフボールがパッテイングのアドレスをしている所まで自動的に戻ってくるようにした、パッテイング練習具の補助具に関するものである。
【背景技術】
【０００２】
従来、パッテイング練習具はホールに入った時あるいはホールを外れて通過した時、自動的にゴルフボールが戻ってくるようにパッテイング練習具に勾配をつけ戻そうとするものはあるが、アドレス時のゴルフボールの位置まで戻ってくるものはなかった。
【先行技術文献】
【特許文献】
【０００３】
【特許文献１】実開昭５７−１６０７６９
【特許文献２】実開昭６１−２６５７１
【特許文献３】実開昭５９−１１７７２
【発明の概要】
【発明が解決しようとする課題】
【０００４】
上述の如く、従来のパッテイング練習具はホールに入った時あるいはホールを外れて通過した時、自動的に戻ってくるように勾配をつけた練習具はあるが、ホールに入れようとする強さでパッテイングをすると戻る距離は、ホールとアドレス位置までの半分程度で、アドレス時のボールのところまで戻るものはなかった。
【課題を解決するための手段】
【０００５】
本発明は、このような点に鑑みて成されたものであり、パッテイング練習具のホールに入った時あるいはホールを外れて通過した時、自動的にアドレス時のボールの位置まで戻り、アドレス状態を常に一定にして繰り返しパッテイング練習が出来るようにするものである。上述の目的を達成する本発明のパッテイング練習具の補助具溝型レールは、パッテイング練習具のゴルフボールが返る勾配のついた通路の中間からアドレス時のボールのところまで、たわみ調整板を付けた溝型レールを設置することを特徴とする。
【発明の効果】
【０００６】
以上、説明をしたように本発明によれば、パッテイング練習具の補助具溝型レールは、パッテイング練習具のゴルフボールが返る勾配のついた通路の中間からアドレス時のボールのところまで、たわみ調整板を付けた溝型のレールを設置する。ゴルフボールの転がり抵抗が最小限になるようにボールの自重によるたわみ量をたわみ調整板の取り付けによって溝型レールのたわみが調整され、ころがり抵抗が減少するようになり、アドレス状態の位置までボールが返ってくる。
【図面の簡単な説明】
【０００７】
【図１】図１は、本発明の実施形態に係るパッテイング練習具と補助具溝型レールの外観斜視図である。
【図２】図２は、本発明のＡ−Ａ断面図である。
【図３】図３は、本発明の平面図である。
【図４】図４は、本発明のＤ−Ｄ断面図である。
【図５】図５は、本発明の平面図である。
【図６】図６は、本発明のＢ−Ｂ断面図である。
【図７】図７は、本発明のＣ−Ｃ断面図である。
【図８】図８は、本発明のＥ−Ｅ断面図である。
【発明を実施するための形態】
【０００８】
以下、本発明の形態を図面に基づき詳細に説明する。
【０００９】
図１から図８は本発明の形態に係り、図１は外観斜視図、図２はＡ−Ａ断面図、図３は平面図、図４はＤ−Ｄ断面図、図５は平面図、図６はＢ−Ｂ断面図、図７はＣ−Ｃ断面図、図８はＥ−Ｅ断面図である。
【００１０】
図２に示すようにパッテイング補助具溝型レール１の下部にたわみ調整板２をとりつけて、ゴルフボールが通過する時、ゴルフボールの自重でパッテイング補助具溝型レール１が直接床面６までたわまないよう、たわみ調整板２でたわみ量を調整している。またゴルフボールのころがり抵抗を少しでも減少させるため底部の部分７を曲面形状に仕上げている。
【００１１】
図３に示すように、パッテイング補助具溝型レール１の両壁部の部分を曲面形状８に仕上げ、ゴルフボールのころがり抵抗値を少しでも減少させるように仕上げている。
【００１２】
図４に示すようにパッテイング補助具溝型レール３の下部にたわみ調整板４をとりつけて、ゴルフボールが通過する時、ゴルフボールの自重でパッテイング補助具溝型レール３が直接床面６までたわまないよう、たわみ調整板４でたわみ量を調整している。またゴルフボールのころがり抵抗を少しでも減少させるため底部の部分を曲面形状９に仕上げている。
【００１３】
図５に示すように、パッテイング補助具溝型レール３の両壁部の部分を曲面形状１０に仕上げ、ゴルフボールのころがり抵抗値を少しでも減少させるように仕上げている。
【００１４】
図６の断面図に示すようにパッテイング補助具溝型レール１の下部にたわみ調整板２をとりつけて、ゴルフボールが通過する時、ゴルフボールの自重でパッテイング補助具溝型レール１が直接床面６までたわまないよう、たわみ調整板２でたわみ量を調整している。
【００１５】
図７は、パッテイング練習具５の補助具溝型レール１とゴルフボール１１の通過時の断面図である。
【００１６】
図８に示すようにパッテイング補助具溝型レール３の下部にたわみ調整板４をとりつけて、ゴルフボールが通過する時、ゴルフボールの自重でパッテイング補助具溝型レール３が直接床面６までたわまないよう、たわみ調整板４でたわみ量を調整している。
【実施例】
【００１７】
パッテイング練習具５の補助具溝型レール１、２は床面がじゅうたん張りであったり、凹凸のあるタイル面であっても、２点で支持する構造になっているため、中間の床面６の形状に左右されることなく十分使用出来る。またバルコニー等のコンクリート面であっても使用できる。
【００１８】
以上、本発明の実施の形態および実施例を説明したが本発明の範囲はこれに限定されるものではない。例えば補助具の数や配置位置、たわみ調整板の形状は状況に応じて適宜選択されるものである。
【符号の説明】
【００１９】
１  パッテイング練習具の補助具溝型レール
２  たわみ調整板
３  パッテイング練習具の補助具溝型レール
４  たわみ調整板
５  パッテイング練習具
６  床面
７  曲面仕上げ部
８  曲面仕上げ部
９  曲面仕上げ部
１０  曲面仕上げ部
１１  ゴルフボール
【図１】
2020058530.tif 000003
【図２】
2020058530.tif 000004
【図３】
2020058530.tif 000005
【図４】
2020058530.tif 000006
【図５】
2020058530.tif 000007
【図６】
2020058530.tif 000008
【図７】
2020058530.tif 000009
【図８】
2020058530.tif 000010
【手続補正書】
【提出日】平成31年3月3日(2019.3.3)
【手続補正１】
【補正対象書類名】特許請求の範囲
【補正対象項目名】全文
【補正方法】変更
【補正の内容】
【特許請求の範囲】
【請求項１】
パッテイング補助具溝型レール１は、設置位置の始点をパッテイング練習具５のボールが返る勾配のついた通路上の、カップに入ったボールが出てくる出口とパッテイング練習具５の最下流端部との中間位置とし、終端は溝型レール３の始点の下部にある、溝型レール１の始点の底部と床面６の高さの半分の厚さと同じ厚さのたわみ調整板４の上にのせ、溝型レール１の中間の底部にたわみ調整板４と同じ厚さのたわみ調整板２を取り付け、ボールが通過する時ボールの自重でたわむ量をたわみ調整板２の底面が床面６につくまでに調整した溝型レール１とたわみ調整板４を始点部に取り付け、終端部を床面６につくようにしボールが通過する時、ボールの自重で中間部がたわみ床面６につくようにした溝型メール３を連結し、溝型レールの勾配及びボールが通過する時のボールの自重により発生するたわみ後の復元力を利用するために、たわみ調整板を取り付け、たわみ調整をすることによりアドレス状態の位置までボールが返ってくることを特徴とするパッテイング補助具の溝型レール。
【手続補正２】
【補正対象書類名】明細書
【補正対象項目名】０００５
【補正方法】変更
【補正の内容】
【０００５】
【課題を解決するための手段】
パッテイング補助具溝型レール１の設置位置の始点をパッテイング練習具５のボールが返る勾配のついた通路上の、カップに入ったボールが出てくる出口とパッテイング練習具５の最下流端部との中間位置とし、終端は溝型レール３の始点の下部にあるたわみ調整板４の上にのせる。調整板４の厚さは、溝型レール１の始点の底部から床面６までの高さの半分の厚さとし、たわみ調整板４と同じ厚さのたわみ調整板２を溝型レール１の中間の底部に取り付け、ボールが通過する時ボールの自重でたわむ量をたわみ調整板２の底部が床面６につくように調整する。またたわみ調整板４を先端に取り付け終端を床６につけた溝型レール３を連結する。そうすることによってカップの出口から出てくるボールが練習具のボールが返る通路の勾配、溝型レールの勾配、溝型レールをボールが通過する時の自重により発生するたわみ後の復元力が加わりアドレス状態の位置までボールが返ってくることを特徴とするパッテイング補助具の溝型レール。
【手続補正３】
【補正対象書類名】明細書
【補正対象項目名】００１０
【補正方法】変更
【補正の内容】
【００１０】
【発明を実施するための形態】
図２に示すパッテイング補助具溝型レール１は、設置始点をパッテイング練習具５のボールが返る勾配のついた通路上で、カップに入ったボールが出てくる出口とパッテイング練習具５の最下流端部の中間位置とし、溝型レール１の終端は溝型レール３の始点の下部にある、溝型レール１の始点の底部と床面６の高さの半分の厚さのたわみ調整板４の上にのせて、溝型レール１の中間の底部にたわみ調整板４と同じ厚さの調整板２を取り付け、ボールが通過する時、ボールの自重で溝溝型レール１のたわむ量をたわみ調整板２の底面が床面６につくようにしボールのころがり抵抗を少しでも減少させるため底部の部分７を曲面形状に仕上げている。
【手続補正４】
【補正対象書類名】明細書
【補正対象項目名】００１２
【補正方法】変更
【補正の内容】
【００１２】
【発明を実施するための形態】
図４に示すようにパッテイング補助具溝型レール３の始点の底部に図８の形状のたわみ調整板２と同じ底板の厚さのたわみ調整板４を溝型レール１がのせられるように取り付ける。またボールのころがり抵抗を少しでも減少させるため底部の部分９を曲面形状に仕上げている。
【手続補正書】
【提出日】令和1年7月17日(2019.7.17)
【手続補正１】
【補正対象書類名】特許請求の範囲
【補正対象項目名】請求項１
【補正方法】変更
【補正の内容】
【請求項１】
パッテイング補助具溝型レール１の上端がパッテイング練習具のゴルフボールが返る勾配のついた通路の中間に位置するようにパッテイング補助具溝型レール１を設置し、パッテイング補助具溝型レール１の下部にたわみ調整板２をとりつけて、ゴルフボールが通過する時ゴルフボールの自重でパッテイング補助具溝型レール１が直接床面６までたわまないよう、たわみ調整板２でたわみ量を調整し、溝型レール３の下部にたわみ調整板４をとりつけて溝型レール３が直接床面６までたわまないようたわみ調整板４でたわみ量を調整しアドレス状態の位置までボールが返ってくるたわみ調整板をとりつけ、たわみ調整ができることを特徴とするパッテイング練習具。